(57)【特許請求の範囲】
【請求項１】
硬貨が径方向に自重で落下する硬貨軌道と、この硬貨軌道の下端に連通する硬貨受入口を有する金庫とを備えた硬貨収納構造において、
前記硬貨受入口を金庫の中央部に設け、この硬貨受入口の硬貨落下方向上流側に硬貨振分部材を設け、この硬貨振分部材には、硬貨軌道内を落下する硬貨を下方または左右方向に振り分けるため、中心線を介して左右対称の湾曲形状でなる振分面が形成されていることを特徴とする硬貨収納構造。
【請求項２】
前記硬貨軌道の硬貨の径方向が対向する両側部に千鳥状に並べた段部を設けたことを特徴とする請求項１記載の硬貨収納構造。
【発明の詳細な説明】
【技術分野】
【０００１】
本発明は、正規硬貨を硬貨軌道を介して金庫内に収納する硬貨収納構造に関するものである。
【背景技術】
【０００２】
従来の硬貨収納構造としては、正規硬貨を多数枚保留する硬貨貯留ホッパーと、この硬貨貯留ホッパーから放出された正規硬貨を一時的に保留する一時保留部と、この一時保留部から落下する正規硬貨を回収する硬貨回収金庫とによって構成されたものがある（例えば、特許文献１参照）。
【特許文献１】特開平１１−２６５４７０号公報
【発明の開示】
【発明が解決しようとする課題】
【０００３】
上述した従来の硬貨収納構造においては、一時保留部から落下した硬貨は、硬貨回収金庫内において全体にわたって均分に堆積しないで、一時保留部の直下を中心に部分的に堆積してしまう。このため、所定の回収枚数に達する以前、すなわち金庫内に満杯にならない状態で硬貨回収金庫内へ硬貨を収納できない状態が発生することがあり、結果的に硬貨回収金庫へ回収できる硬貨の枚数が所定の回収枚数よりも少なくなってしまうことがある。このため、空の硬貨回収金庫に交換するまでの時間的な間隔が短くなるから、硬貨回収金庫の交換作業の頻度が増えることにより使い勝手が悪くなるという問題があった。
【０００４】
本発明は上記した従来の問題に鑑みなされたものであり、その目的とするところは、金庫内に所定の枚数の硬貨を収納できるようにし、金庫を交換するための作業頻度を可及的に低減させ使い勝手を向上させた硬貨収納構造を提供するところにある。
【課題を解決するための手段】
【０００５】
この目的を達成するために、本発明は、硬貨が径方向に自重で落下する硬貨軌道と、この硬貨軌道の下端に連通する硬貨受入口を有する金庫とを備えた硬貨収納構造において、
前記硬貨受入口を金庫の中央部に設け、この硬貨受入口の硬貨落下方向上流側に硬貨振分部材を設け、この硬貨振分部材には、硬貨軌道内を落下する硬貨を下方または左右方向に振り分けるため、中心線を介して左右対称の湾曲形状でなる振分面が形成されているものである。
【０００６】
本発明は、前記発明において、前記硬貨軌道の硬貨の径方向が対向する両側部に千鳥状に並べた段部を設けたものである。
【発明の効果】
【０００７】
本発明によれば、硬貨受入口から金庫内に導入される硬貨は、硬貨振分部材の湾曲形状でなる振分面によって金庫の両端側に振り分けられるため、硬貨受入口の直下のみだけではなく金庫内全体にわたって分散され略均分に落下する。このため、金庫内全体に略均分に硬貨が堆積するから金庫内に所定の枚数の硬貨を収納することが可能になるため、金庫を交換する作業頻度を増やすことないので使い勝手を向上させることができる。
【０００８】
前記発明のうちの一つの発明によれば、硬貨軌道を落下する硬貨は両側部の段部に交互に当たり径方向に揺動しながら落下するため、硬貨受入口から金庫内に導入される硬貨は金庫の両端側に振り分けられる。このため、従来のように金庫の硬貨受入口の直下のみにに硬貨が堆積するようなことがない。また、段部に当たることにより、硬貨は減速しながら落下するため、硬貨振分部材に当たったときに、より左右に振り分けられやすくなる。
【発明を実施するための最良の形態】
【０００９】
以下、本発明の実施の形態を図に基づいて説明する。図１は本発明に係る硬貨収納構造の側面図、図２は図３におけるII-II 線断面図、図３は図１におけるIII-III 線断面図である。これらの図において、符号１で示すものは、図示を省略した硬貨選別部で選別された正規硬貨（以下、単に硬貨という）Ｃが供給される硬貨軌道であって、いずれも上下方向に延在する背面板２、両側板３，４、前板５によって扁平な筒状に形成されている。
【００１０】
この硬貨軌道１は、左右方向の寸法Ｌ１が硬貨Ｃの径よりも大きく設定され、前後方向の寸法Ｌ２が硬貨Ｃの径よりも小さく設定されている。したがって、この硬貨軌道１を自重によって落下する硬貨Ｃは、厚み方向が背面板２と前板５とに対向し、径方向が両側板３，４に対向する。
【００１１】
この硬貨軌道１は、上端部に硬貨選別部から供給される硬貨Ｃが導入される硬貨導入口６が設けられ、下端部に硬貨Ｃを排出する硬貨排出口７が設けられており、背面板２の内面には上下方向に延在する２本の摩擦抵抗低減用のリブ８，８が一体に突設されている。
【００１２】
一方の側板３には、他方の側板４側に向かって二つの段部９ａ，９ｂが突設されており、他方の側板４には、一方の側板３側に向かって三つの段部１０ａ，１０ｂ，１０ｃが突設されている。他方の側板４に設けられた三つの段部１０ａ，１０ｂ，１０ｃと、一方の側板３に設けられた二つの段部９ａ，９ｂとは、上方から下方に向かって互いに千鳥状となるように配置されている。
【００１３】
背面板２の下端部の内面には、半ドーム状に形成された硬貨振分部材１１が設けられており、この硬貨振分部材１１には、硬貨軌道１内を落下してきた硬貨Ｃを、硬貨Ｃの径方向において硬貨受入口１６の下方向または左右方向に振り分ける振分面１２が設けられている。すなわち、この振分面１２は、図３に示すように正面視において、中心線Ｇを挟んで共に下方に向かって中心線Ｇから漸次離間するように湾曲形成され、かつ、中心線Ｇを挟んで左右対称に形成されている。また、この振分面１２は、図１に示すように側面視において下方に向かって背面板２から漸次離間するように湾曲形成されており、この振分面１２の下端と前板３との間隔Ｌ３は、硬貨Ｃの厚みよりも大きく形成されている。
【００１４】
１５は密閉されたやや扁平な箱状に形成された金庫であって、上面の中央部に硬貨軌道１の硬貨排出口７に連通する硬貨受入口１６が設けられている。この金庫１５は装置から取り出し可能なように、金庫１５の上端と硬貨軌道１の下端との間にわずかな間隔が設けられている。
【００１５】
このような構成において、図示を省略した硬貨選別部から硬貨導入口６に供給された硬貨Ｃは、硬貨軌道１内を自重によって径方向に落下する。このとき、硬貨軌道１の両側板３，４に上下方向において互いに千鳥状に配置した段部９ａ，９ｂおよび段部１０ａ，１０ｂ，１０ｃが設けられているため、硬貨Ｃは順次段部１０ａ、段部９ａ、段部１０ｂ、段部９ｂおよび段部１０ｃに交互に当たりながら硬貨軌道１内を落下する。
【００１６】
硬貨軌道１内を落下してきた硬貨Ｃは、硬貨軌道１の下端部において、外周面の一部が硬貨振分部材１１の上端に当たる。このとき、硬貨Ｃの外周面の一部が硬貨振分部材１１の振分面１２の中央部（中心線Ｇに相当する部位）に当たった場合は、硬貨は図３中符号Ｃ１で示すように、振分面１２によって金庫１５の硬貨受入口１６の下方に導かれる。一方、硬貨Ｃの外周面の一部が中心線Ｇよりも左方において振分面１２に当たった場合は、硬貨は図中符号Ｃ２で示すように、振分面１２によって硬貨受入口１６の左方に導かれる。また、硬貨Ｃの外周面の一部が中心線Ｇよりも右方において振分面１２に当たった場合は、硬貨は図中符号Ｃ３で示すように、振分面１２によって硬貨受入口１６の右方に導かれる。
【００１７】
このように、硬貨振分部材１１の上端に当接した硬貨Ｃは、振分面１２によって金庫１５の硬貨受入口１６の下方または左右方向に振り分けられるから、金庫１５の全体に略均分に振り分けられる。このため、硬貨Ｃが硬貨受入口１６の直下のみだけではなく金庫１５内全体に略均分に落下することにより、金庫１５内全体に略均分に硬貨Ｃが堆積するから金庫１５内に所定の枚数の硬貨Ｃが収納できるようなになる。したがって、金庫１５を交換する作業頻度を増やすことないので使い勝手を向上させることができる。
【００１８】
ここで、硬貨Ｃは、硬貨振分部材１１に当たる以前に、段部９ａ，９ｂおよび段部１０ａないし１０ｃに交互に当っているため、硬貨軌道１内を左右に揺動しながら落下している。このため、硬貨Ｃは、硬貨振分部材１１に当たるときに、振分面１２の中央部（中心線Ｇに相当する部位）よりも左右方向において振分面１２により多く当たるため、金庫１５の左右の両端側に振り分けられる。したがって、従来のように金庫１５の硬貨受入口１６の直下のみに硬貨が堆積するようなことがない。また、段部９ａ，９ｂおよび段部１０ａないし１０ｃに当たることにより、硬貨Ｃは減速しながら落下するため、硬貨振分部材１１に当たったときに、より左右に振り分けられやすくなる。
【００１９】
なお、本実施の形態においては、硬貨振分部材１１と段部９ａ，９ｂおよび段部１０ａないし１０ｃとを同時に設けた例を説明したが、特に金庫１５の左右の両端側に硬貨Ｃを多く振り分ける必要がない場合は、硬貨軌道１に段部を設けることなく硬貨振分部材１１のみを設けるようにしてもよい。
【図面の簡単な説明】
【００２０】
【図１】本発明に係る硬貨収納構造の側面図である。
【図２】図３におけるII-II 線断面図である。
【図３】図１におけるIII-III 線断面図である。
【符号の説明】
【００２１】
１…硬貨軌道、３，４…側板、９ａ，９ｂ，１０ａ，１０ｂ，１０ｃ…段部、１１…硬貨振分部材、１２…振分面、１５…金庫、１６…硬貨受入口。
【図１】
0005119811.tif 000002
【図２】
0005119811.tif 000003
【図３】
0005119811.tif 000004